(57)【要約】【課題】従来、瓦本体の一部に開けた時計取付孔に時計を着脱自在に設ける構造の装飾瓦がある。この装飾瓦は、この瓦本体に、時計を、固定板と円板とをビス止めを介して、必要により、簡易かつ確実に取付け、取外しできる装飾瓦である。しかし、この考案は、装飾瓦であり、実際に屋根に葺設する構造でない。【構成】本発明は、成形した瓦の表面側に成形した雪止めを取付ける瓦の構造であって、瓦の所定箇所に、雪止めをセットし、工具を介して貫通穴を形成し、貫通穴にネジ釘を挿入し、ネジ釘の貫通部のネジ部に、緊締具を設け、瓦と雪止めを一体化する構造の雪止め瓦の構造である。雪止め瓦の簡易な構造と、瓦／雪止めの汎用性を図る。【選択図】図１
2008274643.tif 000002
【特許請求の範囲】
【請求項１】
成形した瓦の表面側、又は頭側に設けられる成形した瓦の部材、例えば、雪止め、止水部材、家紋、装飾材を取付ける瓦の構造であって、
この瓦の所定箇所に、前記瓦の部材をセットし、この瓦と瓦の部材に、工具を介して貫通穴を形成し、この貫通穴にネジ釘を挿入し、このネジ釘の貫通部のネジ部に、緊締具を設けることで、前記瓦と、瓦の部材を一体化する構造とした瓦に、瓦の部材、例えば、雪止め、止水部材、家紋、装飾材を取付ける瓦の構造。
【請求項２】
請求項１に記載の瓦の部材、例えば、雪止め、止水部材、家紋、装飾材を取付ける瓦の構造において、
この瓦の所定箇所が、瓦及び／又は瓦の部材として、必要とする機能を発揮できる位置である構造とした瓦に、瓦の部材、例えば、雪止め、止水部材、家紋、装飾材を取付ける瓦の構造。
【請求項３】
請求項２に記載の瓦の部材、例えば、雪止め、止水部材、家紋、装飾材を取付ける瓦の構造において、
この瓦の所定箇所の位置は、瓦の部材が、雪止めの場合は、瓦の頭側の流れ方向においてやや中側で、かつこの頭側の幅方向において略中心とする構造とした瓦に、瓦の部材、例えば、雪止め、止水部材、家紋、装飾材を取付ける瓦の構造。
【請求項４】
請求項２に記載の瓦の部材、例えば、雪止め、止水部材、家紋、装飾材を取付ける瓦の構造において、
この瓦の所定箇所の位置は、瓦の部材が、止水部材の場合は、瓦の頭側の流れ方向においてやや中側で、かつこの頭側の幅方向においてほぼ全幅とする構造とした瓦に、瓦の部材、例えば、雪止め、止水部材、家紋、装飾材を取付ける瓦の構造。
【請求項５】
請求項２に記載の瓦の部材、例えば、雪止め、止水部材、家紋、装飾材を取付ける瓦の構造において、
この瓦の所定箇所の位置は、瓦の部材が、家紋、装飾材の場合は、瓦の頭側の垂れ部とする構造とした瓦に、瓦の部材、例えば、雪止め、止水部材、家紋、装飾材を取付ける瓦の構造。
【請求項６】
請求項１に記載の瓦の部材、例えば、雪止め、止水部材、家紋、装飾材を取付ける瓦の構造において、
この瓦の所定箇所を凹部とし、この凹部に、止水部材及び／又は緩衝部材として役立つパッキン、シーラ樹脂材等の副資材を付設し、前記雪止め、止水部材、家紋、装飾材を設ける構造とした瓦に、瓦の部材、例えば、雪止め、止水部材、家紋、装飾材を取付ける瓦の構造。
【請求項７】
請求項１に記載の瓦の部材、例えば、雪止め、止水部材、家紋、装飾材を取付ける瓦の構造において、
この瓦の所定箇所に設けた瓦の部材は、この瓦の表面側、又は垂れ部の表面側より、膨出形成される構造とした瓦に、瓦の部材、例えば、雪止め、止水部材、家紋、装飾材を取付ける瓦の構造。
【発明の詳細な説明】
【技術分野】
【０００１】
本発明は、瓦に、瓦の部材、例えば、雪止め、止水部材、家紋、装飾材を取付ける瓦の構造に関する。
【背景技術】
【０００２】
従来、瓦の部材、例えば、雪止め、止水部材、家紋、装飾材を取付ける瓦の構造としては、一体を基本構造とすることから、分離形の構造は、少なかった。その中でも、特開昭５８−９２５１４号の「模様入り瓦の製造方法」があり（文献（１）とする）、瓦の頭側の垂れ部に、嵌合座孔を凹設し、この嵌合座孔に、パーツ部品の装飾部を、接着嵌合するか、又はテーパー嵌合する構造が開示されている。また実開昭６１−１６８９９８号の「時計付装飾瓦」があり（文献（２）とする）、瓦本体の一部に開けた時計取付孔に時計を着脱自在に設ける構造の装飾瓦であって、この瓦本体に、時計を、固定板と円板とをビス止めを介して、必要により、簡易かつ確実に取付け、取外しできる装飾瓦である。
【０００３】
この文献（１）と、文献（２）は、瓦の適所に、瓦の部材を取付けるには、有益である。しかしながら、瓦及び瓦の部材自体に、工具を介して、貫通穴を開設し、この貫通穴にネジ釘を挿入し、このネジ釘の貫通部のネジ部に、緊締具を設けることで、この瓦と、瓦の部材を一体化する構造ではないので、強度的に劣ることと、耐震耐風等の災害時の手当てに改良点が考えられる。またこの文献（１）と、文献（２）は、瓦の表面側、又は垂れ部の表面側より、膨出形成する構造でないので、この瓦の部材の特性と、機能を発揮するには、問題を残すこと、また雪止めとしては、有効でないこと等の改良点を抱えている。
【０００４】
【特許文献１】特開昭５８−９２５１４号
【特許文献２】実開昭６１−１６８９９８号
【発明の開示】
【発明が解決しようとする課題】
【０００５】
以上で説明した如く、前記文献（１）と、文献（２）には、解決すべき課題が考えられるので、本発明は、下記のことを目的とする。
「１」  瓦及び瓦の部材自体に、工具を介して、貫通穴を開設し、この貫通穴にネジ釘を挿入し、このネジ釘の貫通部のネジ部に、緊締具を設けることで、この瓦と、瓦の部材を一体化する構造とし、強度の向上と、この瓦及び／又は瓦の部材の機能を発揮すること等を意図する。
「２」  瓦の部材を、瓦の表面側、又は垂れ部の表面側より、膨出形成する構造とし、この瓦の部材の特性と、機能とを、発揮し、また屋根の耐震耐風性の向上を図ること、さらに雪止め、止水部材、家紋、装飾材としての本来の目的（本発明の主題）を達成すること等を意図する。
「３」  また瓦及び／又は瓦の部材を活用して、現場において、雪止め、止水部材、家紋、装飾材を取付けることで、この雪止め瓦、止水部材付き瓦、家紋、装飾材等付き瓦を、確実かつ容易に構成することを意図する。
「４」  現場及び／又は工場の出荷時・成形後において、この雪止め瓦、止水部材付き瓦、家紋、装飾材等付き瓦を構成することで、要望と、この要望の変更に簡易に対応すること、又は汎用製品として対応すること、また経済性を確保すること等を意図する。
【課題を解決するための手段】
【０００６】
請求項１の発明は、前述の「１」〜「４」の意図を達成する。
【０００７】
請求項１は、成形した瓦の表面側、又は頭側に設けられる成形した瓦の部材、例えば、雪止め、止水部材、家紋、装飾材を取付ける瓦の構造であって、
この瓦の所定箇所に、前記瓦の部材をセットし、この瓦と瓦の部材に、工具を介して貫通穴を形成し、この貫通穴にネジ釘を挿入し、このネジ釘の貫通部のネジ部に、緊締具を設けることで、前記瓦と、瓦の部材を一体化する構造とした瓦に、瓦の部材、例えば、雪止め、止水部材、家紋、装飾材を取付ける瓦の構造である。
【０００８】
請求項２の発明は、前述の「１」〜「４」の意図を達成する。また請求項２の発明は、「５」  瓦の機能と、これに付ける瓦の部材の機能とを確実に達成すること、またより汎用製品として対応を図ること、また経済性を確保すること等を意図する。
【０００９】
請求項２は、請求項１に記載の瓦の部材、例えば、雪止め、止水部材、家紋、装飾材を取付ける瓦の構造において、
この瓦の所定箇所が、瓦及び／又は瓦の部材として、必要とする機能を発揮できる位置である構造とした瓦に、瓦の部材、例えば、雪止め、止水部材、家紋、装飾材を取付ける瓦の構造である。
【００１０】
請求項３の発明は、前述の「１」〜「４」の意図を達成する。また請求項３の発明は、「６」  瓦の機能と、これに付ける雪止めの機能とを確実に達成すること、またより汎用製品として対応を図ること、また経済性を確保すること等を意図する。
【００１１】
請求項３は、請求項２に記載の瓦の部材、例えば、雪止め、止水部材、家紋、装飾材を取付ける瓦の構造において、
この瓦の所定箇所の位置は、瓦の部材が、雪止めの場合は、瓦の頭側の流れ方向においてやや中側で、かつこの頭側の幅方向において略中心とする構造とした瓦に、瓦の部材、例えば、雪止め、止水部材、家紋、装飾材を取付ける瓦の構造である。
【００１２】
請求項４の発明は、前述の「１」〜「４」の意図を達成する。また請求項４の発明は、「７」  瓦の機能と、これに付ける止水部材の機能とを確実に達成すること、またより汎用製品として対応を図ること、また経済性を確保すること等を意図する。
【００１３】
請求項４は、請求項２に記載の瓦の部材、例えば、雪止め、止水部材、家紋、装飾材を取付ける瓦の構造において、
この瓦の所定箇所の位置は、瓦の部材が、止水部材の場合は、瓦の頭側の流れ方向においてやや中側で、かつこの頭側の幅方向においてほぼ全幅とする構造とした瓦に、瓦の部材、例えば、雪止め、止水部材、家紋、装飾材を取付ける瓦の構造である。
【００１４】
請求項５の発明は、前述の「１」〜「４」の意図を達成する。また請求項５の発明は、「８」  瓦の機能と、これに付ける家紋、装飾材の機能とを確実に達成すること、またより汎用製品として対応を図ること、また経済性を確保すること等を意図する。
【００１５】
請求項５は、請求項２に記載の瓦の部材、例えば、雪止め、止水部材、家紋、装飾材を取付ける瓦の構造において、
この瓦の所定箇所の位置は、瓦の部材が、家紋、装飾材の場合は、瓦の頭側の垂れ部とする構造とした瓦に、瓦の部材、例えば、雪止め、止水部材、家紋、装飾材を取付ける瓦の構造である。
【００１６】
請求項６の発明は、前述の「１」〜「４」の意図を達成する。また請求項６の発明は、「９」  瓦の機能と、これに付ける雪止め、止水部材、家紋、装飾材の機能とを確実に達成すること、またより汎用製品として対応を図ること、また経済性を確保すること等を意図する。
【００１７】
請求項６は、請求項１に記載の瓦の部材、例えば、雪止め、止水部材、家紋、装飾材を取付ける瓦の構造において、
この瓦の所定箇所を凹部とし、この凹部に、止水部材及び／又は緩衝部材として役立つパッキン、シーラ樹脂材等の副資材を付設し、前記雪止め、止水部材、家紋、装飾材を設ける構造とした瓦に、瓦の部材、例えば、雪止め、止水部材、家紋、装飾材を取付ける瓦の構造である。
【００１８】
請求項７の発明は、前述の「１」〜「４」の意図を達成する。また請求項７の発明は、「１０」  瓦の機能と、これに付ける雪止め、止水部材、家紋、装飾材を膨出形成し、その機能を確実に達成すること、またより汎用製品として対応を図ること、また経済性を確保すること等を意図する。
【００１９】
請求項７は、請求項１に記載の瓦の部材、例えば、雪止め、止水部材、家紋、装飾材を取付ける瓦の構造において、
この瓦の所定箇所に設けた瓦の部材は、この瓦の表面側、又は垂れ部の表面側より、膨出形成される構造とした瓦に、瓦の部材、例えば、雪止め、止水部材、家紋、装飾材を取付ける瓦の構造である。
【発明の効果】
【００２０】
請求項１の発明は、成形した瓦の表面側、又は頭側に設けられる成形した瓦の部材、例えば、雪止め、止水部材、家紋、装飾材を取付ける瓦の構造であって、
瓦の所定箇所に、瓦の部材をセットし、瓦と瓦の部材に、工具を介して貫通穴を形成し、貫通穴にネジ釘を挿入し、ネジ釘の貫通部のネジ部に、緊締具を設けることで、瓦と、瓦の部材を一体化する構造とした瓦に、瓦の部材、例えば、雪止め、止水部材、家紋、装飾材を取付ける瓦の構造である。
【００２１】
従って、請求項１の発明は、下記の効果を有する。
「１」  瓦及び瓦の部材自体に、工具を介して、貫通穴を開設し、この貫通穴にネジ釘を挿入し、このネジ釘の貫通部のネジ部に、緊締具を設けることで、この瓦と、瓦の部材を一体化する構造とし、強度の向上と、この瓦及び／又は瓦の部材の機能を発揮できる。
「２」  瓦の部材を、瓦の表面側、又は垂れ部の表面側より、膨出形成する構造とし、この瓦の部材の特性と、機能とを、発揮し、また屋根の耐震耐風性の向上が図れること、さらに雪止め、止水部材、家紋、装飾材としての本来の目的（本発明の主題）を達成できる。
「３」  また瓦及び／又は瓦の部材を、活用して現場において、雪止め、止水部材、家紋、装飾材を取付けることで、この雪止め瓦、止水部材付き瓦、家紋、装飾材等付き瓦を、確実かつ容易に構成できる。
「４」  現場及び／又は工場の出荷時・成形後において、この雪止め瓦、止水部材付き瓦、家紋、装飾材等付き瓦を構成することで、要望と、この要望の変更に簡易に対応できること、又は汎用製品として対応できること、また経済性を確保できること等にある。
【００２２】
請求項２の発明は、請求項１に記載の瓦の部材、例えば、雪止め、止水部材、家紋、装飾材を取付ける瓦の構造において、
瓦の所定箇所が、瓦及び／又は瓦の部材として、必要とする機能を発揮できる位置である構造とした瓦に、瓦の部材、例えば、雪止め、止水部材、家紋、装飾材を取付ける瓦の構造である。
【００２３】
従って、請求項２の発明は、下記の効果を有する。
「１」〜「４」の効果を達成できる。
「５」  瓦の機能と、これに付ける瓦の部材の機能とを確実に達成できること、またより汎用製品として対応ができること、また経済性を確保できること等にある。
【００２４】
請求項３の発明は、請求項２に記載の瓦の部材、例えば、雪止め、止水部材、家紋、装飾材を取付ける瓦の構造において、
瓦の所定箇所の位置は、瓦の部材が、雪止めの場合は、瓦の頭側の流れ方向においてやや中側で、かつ頭側の幅方向において略中心とする構造とした瓦に、瓦の部材、例えば、雪止め、止水部材、家紋、装飾材を取付ける瓦の構造である。
【００２５】
従って、請求項３の発明は、下記の効果を有する。
「１」〜「４」の効果を達成できる。
「６」  瓦の機能と、これに付ける雪止めの機能とを確実に達成できること、またより汎用製品として対応ができること、また経済性を確保できること等にある。
【００２６】
請求項４の発明は、請求項２に記載の瓦の部材、例えば、雪止め、止水部材、家紋、装飾材を取付ける瓦の構造において、
瓦の所定箇所の位置は、瓦の部材が、止水部材の場合は、瓦の頭側の流れ方向においてやや中側で、かつ頭側の幅方向においてほぼ全幅とする構造とした瓦に、瓦の部材、例えば、雪止め、止水部材、家紋、装飾材を取付ける瓦の構造である。
【００２７】
従って、請求項４の発明は、下記の効果を有する。
「１」〜「４」の効果を達成できる。
「７」  瓦の機能と、これに付ける止水部材の機能とを確実に達成できること、またより汎用製品として対応ができること、また経済性を確保できること等にある。
【００２８】
請求項５の発明は、請求項２に記載の瓦の部材、例えば、雪止め、止水部材、家紋、装飾材を取付ける瓦の構造において、
瓦の所定箇所の位置は、瓦の部材が、家紋、装飾材の場合は、瓦の頭側の垂れ部とする構造とした瓦に、瓦の部材、例えば、雪止め、止水部材、家紋、装飾材を取付ける瓦の構造である。
【００２９】
従って、請求項５の発明は、下記の効果を有する。
「１」〜「４」の効果を達成できる。
「８」  瓦の機能と、これに付ける家紋、装飾材の機能とを確実に達成できること、またより汎用製品として対応ができること、また経済性を確保できること等にある。
【００３０】
請求項６の発明は、請求項１に記載の瓦の部材、例えば、雪止め、止水部材、家紋、装飾材を取付ける瓦の構造において、
この瓦の所定箇所を凹部とし、この凹部に、止水部材及び／又は緩衝部材として役立つパッキン、シーラ樹脂材等の副資材を付設し、前記雪止め、止水部材、家紋、装飾材を設ける構造とした瓦に、瓦の部材、例えば、雪止め、止水部材、家紋、装飾材を取付ける瓦の構造である。
【００３１】
従って、請求項６の発明は、下記の効果を有する。
「１」〜「４」の効果を達成できる。
「９」  瓦の機能と、これに付ける雪止め、止水部材、家紋、装飾材の機能とを確実に達成できること、またより汎用製品として対応ができること、また経済性を確保できること等にある。
【００３２】
請求項７の発明は、請求項１に記載の瓦の部材、例えば、雪止め、止水部材、家紋、装飾材を取付ける瓦の構造において、
この瓦の所定箇所に設けた瓦の部材は、この瓦の表面側、又は垂れ部の表面側より、膨出形成される構造とした瓦に、瓦の部材、例えば、雪止め、止水部材、家紋、装飾材を取付ける瓦の構造である。
【００３３】
従って、請求項７の発明は、下記の効果を有する。
「１」〜「４」の効果を達成できる。
「１０」  瓦の機能と、これに付ける雪止め、止水部材、家紋、装飾材を膨出形成し、その機能とを確実に達成できること、またより汎用製品として対応ができること、また経済性を確保できること等にある。
【発明を実施するための最良の形態】
【００３４】
以下、本発明の実施の態様（形態）を説明する。
【００３５】
図面の説明をすると、図１は平板瓦（瓦の一例である）に、瓦の部材の雪止めを取付けた構造の全体斜視図、図２は図１の平面図（表面図）、図３は図１の裏面図、図４は雪止めを取付けた構造の要部の全体斜視図、図５は図１を頭側より見た正面図、図６−１〜図６−２は図２のＸ−Ｘを断面とした側面図であり、図６−１は平板瓦に、緩衝、止水、接着等を、個別又は選択配合した副資材を介して雪止めを嵌合した側面図、図６−２は平板瓦に、雪止めを直接嵌合した側面図、図７−１〜図７−４は平板瓦と雪止めの他の関係を示した要部の断面図であり、図７−１は平板瓦に凹部を形成し、この凹部に副資材を介して雪止めを嵌合した断面図、図７−２は平板瓦に凹部を形成し、この凹部に雪止めを直接嵌合した断面図、図７−３は平板瓦に傾斜凹部を形成し、この傾斜凹部に副資材を介して雪止めを嵌合した断面図、図７−４は平板瓦に変形凹部（小孔付き凹部）を形成し、この変形凹部に副資材を介して雪止めを嵌合した断面図、図８は鬼瓦（瓦の一例である）に、瓦の部材の装飾材を取付けた構造の全体斜視図、図９−１〜図９−２は和形瓦（瓦の一例である）に、瓦の部材の家紋、装飾材を取付けた構造の全体斜視図であり、図９−１は和形瓦に、家紋、装飾材を取付けた構造の全体斜視図、図９−２は図９−１の分解斜視図である。
【００３６】
最初に成形された（仕上り品）平板瓦１と、成形された（仕上り品）雪止め２との関係を説明すると、この平板瓦１の表面側１−１の頭側１ａに、この頭側１ａの流れ方向（Ｙで示す）のやや中側（内側）で、かつ幅方向（Ｚで示す）の略中心で形成される所定箇所の位置３に、雪止め２を設ける構造であり、この平板瓦１の所定箇所の位置３に、雪止め２を設置し、この設置した状態で、雪止め２の表面より、平板瓦１の裏面側１−２に到る貫通穴４を形成する。この貫通穴４には、ネジ釘５を挿入し、裏面側１−２より突出したネジ部５ａにナット６（緊締具）を螺合（緊締）することで、この所定箇所の位置３に雪止め２が一体化される。このネジ釘５を貫通穴４に挿入することで、この貫通穴４内に陶器特有のバリがあっても、略鉛直方向に、ネジ釘５を挿入でき、雪止め２の設置（取付け）の安定性と、一体化及び／又は取付け強度の向上と、このネジ釘５の確実、かつ容易な挿入が図れる特徴がある。そして、この平板瓦１は、瓦の一例であり、またこの平板瓦１の表裏面側１−１、１−２の形態、またこの表裏面側１−１、１−２に設けたアンダーラップ１ｂ、オーバーラップ１ｃ、水返し１ｄ等の構造は一例である。
【００３７】
この一例では、図１〜図６−１においては、所定箇所の位置３に、雪止め２を設置するに際し、所定箇所の位置３に、緩衝、止水、接着等を目的とする板状の副資材８を介して、雪止め２を設置することが、工具使用時、又は葺設後の衝撃緩和と、止水性、取付け隙間を無くすこと、ガタ防止等に有効である。しかし、図６−２に示したように、この副資材８を使用せず、直接設置する構造も可能であり、簡略化、低コスト化等を意図する。この緩衝、止水、接着等を目的とする板状の副資材８は、この緩衝、止水、接着等の目的を、それぞれ個別にする構造と、この緩衝、止水、接着等の目的を、選択、かつ配合した（組み合わせた）構造として、これらに適する材料を選択する（後述する他の実施例に於いても、同様に考えられる）。
【００３８】
尚、この所定箇所の位置３に、雪止め２を設置する作業は、現場及び／又は工場の出荷時・成形後において、行えるものであり、重宝する。また利便性と、汎用性とが図れること、又は緊急時に有効に対応できること等の実用性を備えている（後述する他の実施例に於いても、同様に考えられる）。
【００３９】
また図７−１〜図７−４は、平板瓦１と雪止め２の他の関係を示した要部の断面図であり、この各例を概述するが、何れも、雪止め２の位置の特定等による利便性と、汎用性とが図れること、又は緊急時に有効に対応できること等の実用性を備えている（後述する他の実施例に於いても、同様に考えられる）。先ず、図７−１は平板瓦１の所定箇所の位置３等に凹部１００を形成し、この凹部１００に副資材８を介して、雪止め２を嵌合した断面図であり、その他は前述の例に準ずる。また図７−２は平板瓦１の所定箇所の位置３等に凹部１００を形成し、この凹部１００に雪止め２を直接嵌合した断面図であり、その他は前述の各例に準ずる。また図７−３は平板瓦１の所定箇所の位置３等に傾斜凹部１０１を形成し、この傾斜凹部１０１に副資材８を介して、雪止め２を嵌合した断面図であり、その他は前述の各例に準ずる。さらに、図７−４は平板瓦１の所定箇所の位置３等に変形凹部１０２（小孔付き凹部）を形成し、この変形凹部１０２に副資材８を介して、雪止め２を嵌合した断面図であり、その他は前述の各例に準ずる。
【００４０】
以上で構成した雪止め２付平板瓦１は、従来の雪止め瓦（図示せず）と同様に葺設される。尚、本発明では、雪止め２が破損等した場合は、現場、工場等で交換でき重宝する。
【００４１】
次に図８に示した一例は、軒先に設けられる成形された（仕上り品）鬼瓦１０と、成形された（仕上り品）装飾材１１との関係を説明すると、鬼瓦１０の凹部１０００（所定箇所の位置３）に装飾材１１を嵌合し、ネジ釘５を介して一体化する構造であり、その他の構造は、前述の例に準ずる。この例では、装飾材１１を、現場、工場等で、随意変更できるので有益であり、汎用性と、経済性とを備えた構造である。
【００４２】
また図９−１、図９−２に示した一例は、成形された（仕上り品）和形瓦２０と、成形された（仕上り品）家紋２１・装飾材２２との関係を説明すると、和形瓦２０の凹部２０００・２００１（所定箇所の位置３）に家紋２１・装飾材２２を嵌合し、ネジ釘５を介して一体化する構造であり、その他の構造は、前述の例に準ずる。この例では、家紋２１・装飾材２２を、現場等で、随意変更できるので有益であり、汎用性と、経済性とを備えた構造である。また図示しないが、この例では、雪止め２を設けることが可能であり、前述の雪止め２の構造に準ずる。
【図面の簡単な説明】
【００４３】
【図１】図１は平板瓦（瓦の一例である）に、瓦の部材の雪止めを取付けた構造の全体斜視図
【図２】図２は図１の平面図（表面図）
【図３】図３は図１の裏面図
【図４】図４は雪止めを取付けた構造の要部の全体斜視図
【図５】図５は図１を頭側より見た正面図
【図６−１】図６−１は平板瓦に、副資材を介して雪止めを嵌合した図２のＸ−Ｘを断面とした側面図
【図６−２】図６−２は平板瓦に、雪止めを直接嵌合した図２のＸ−Ｘを断面とした側面図
【図７−１】図７−１は平板瓦に凹部を形成し、この凹部に副資材を介して雪止めを嵌合した要部の断面図
【図７−２】図７−２は平板瓦に凹部を形成し、この凹部に雪止めを直接嵌合した要部の断面図
【図７−３】図７−３は平板瓦に傾斜凹部を形成し、この傾斜凹部に副資材を介して雪止めを嵌合した要部の断面図
【図７−４】図７−４は平板瓦に変形凹部（小孔付き凹部）を形成し、この変形凹部に副資材を介して雪止めを嵌合した要部の断面図
【図８】図８は鬼瓦（瓦の一例である）に、瓦の部材の装飾材を取付けた構造の全体斜視図
【図９−１】図９−１は和形瓦（瓦の一例である）に、瓦の部材の家紋、装飾材を取付けた構造の全体斜視図
【図９−２】図９−２は図９−１の分解斜視図
【符号の説明】
【００４４】
１              平板瓦
１−１          表面側
１−２          裏面側
１００          凹部
１０１          傾斜凹部
１０２          変形凹部
１ａ            頭側
１ｂ            アンダーラップ
１ｃ            オーバーラップ
１ｄ            水返し
２              雪止め
３              所定箇所の位置
４              貫通穴
５              ネジ釘
５ａ            ネジ部
６              ナット
８              副資材
１０            鬼瓦
１０００        凹部
１１            装飾材
２０            和形瓦
２０００        凹部
２００１        凹部
２１            家紋
２２            装飾材
【図１】
2008274643.tif 000003
【図２】
2008274643.tif 000004
【図３】
2008274643.tif 000005
【図４】
2008274643.tif 000006
【図５】
2008274643.tif 000007
【図６−１】
2008274643.tif 000008
【図６−２】
2008274643.tif 000009
【図７−１】
2008274643.tif 000010
【図７−２】
2008274643.tif 000011
【図７−３】
2008274643.tif 000012
【図７−４】
2008274643.tif 000013
【図８】
2008274643.tif 000014
【図９−１】
2008274643.tif 000015
【図９−２】
2008274643.tif 000016
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
仕上り品の平板瓦の表面側、又は頭側に設けられる仕上り品の雪止めを取付ける平板瓦の構造であって、
この平板瓦の所定箇所の位置に、前記雪止めをセットし、この雪止めの表面より、この平板瓦の裏面側に至る貫通穴を形成し、この貫通穴にネジ釘を挿入し、このネジ釘の貫通部のネジ部に、緊締具を設けることで、前記平板瓦と、雪止めを一体化する構造とした雪止めを取付ける平板瓦の構造。
【請求項２】
請求項１に記載の雪止めを取付ける平板瓦の構造において、
この平板瓦の所定箇所の位置に、緩衝、止水、ガタ防止を目的とする板状の副資材を設け、この副資材の上に、雪止めを嵌合する構造とした雪止めを取付ける平板瓦の構造。
【請求項３】
請求項１に記載の雪止めを取付ける平板瓦の構造において、
この平板瓦の所定箇所の位置は、傾斜凹部とし、この傾斜凹部の全体に、緩衝、止水、ガタ防止を目的とする板状の副資材を設け、この副資材の上に、雪止めを嵌合する構造とした雪止めを取付ける平板瓦の構造。
【手続補正２】
【補正対象書類名】明細書
【補正対象項目名】全文
【補正方法】変更
【補正の内容】
【発明の詳細な説明】
【技術分野】
【０００１】
本発明は、雪止めを取付ける平板瓦の構造に関する。
【背景技術】
【０００２】
従来、雪止めを取付ける瓦の構造としては、一体を基本構造とすることから、分離形の構造は、少なかった。その中でも、特開昭５８−９２５１４号の「模様入り瓦の製造方法」があり（文献（１）とする）、瓦の頭側の垂れ部に、嵌合座孔を凹設し、この嵌合座孔に、パーツ部品の装飾部を、接着嵌合するか、又はテーパー嵌合する構造が開示されている。また実開昭６１−１６８９９８号の「時計付装飾瓦」があり（文献（２）とする）、瓦本体の一部に開けた時計取付孔に時計を着脱自在に設ける構造の装飾瓦であって、この瓦本体に、時計を、固定板と円板とをビス止めを介して、必要により、簡易かつ確実に取付け、取外しできる装飾瓦である。
【０００３】
この文献（１）と、文献（２）は、瓦の適所に、雪止めを取付けるには、有益である。しかしながら、瓦及び雪止め自体に、工具を介して、貫通穴を開設し、この貫通穴にネジ釘を挿入し、このネジ釘の貫通部のネジ部に、緊締具を設けることで、この瓦と、雪止めを一体化する構造ではないので、強度的に劣ることと、耐震耐風等の災害時の手当てに改良点が考えられる。またこの文献（１）と、文献（２）は、瓦の表面側、又は垂れ部の表面側より、膨出形成する構造でないので、この雪止めの特性と、機能を発揮するには、問題を残すこと、また雪止めとしては、有効でないこと等の改良点を抱えている。
【０００４】
【特許文献１】特開昭５８−９２５１４号
【特許文献２】実開昭６１−１６８９９８号
【発明の開示】
【発明が解決しようとする課題】
【０００５】
以上で説明した如く、前記文献（１）と、文献（２）には、解決すべき課題が考えられるので、本発明は、下記のことを目的とする。
「１」  平板瓦及び雪止め自体に、工具を介して、貫通穴を開設し、この貫通穴にネジ釘を挿入し、このネジ釘の貫通部のネジ部に、緊締具を設けることで、この平板瓦と、雪止めを一体化する構造とし、強度の向上と、この平板瓦及び／又は雪止めの機能を発揮すること等を意図する。
「２」  雪止めを、平板瓦の表面側、又は垂れ部の表面側より、膨出形成する構造とし、この雪止めの特性と、機能とを、発揮し、また屋根の耐震耐風性の向上を図ること、さらに雪止めとしての本来の目的（本発明の主題）を達成すること等を意図する。
「３」  また平板瓦及び／又は雪止めを活用して、現場において、雪止めを取付けることで、この雪止め平板瓦を、確実かつ容易に構成することを意図する。
「４」  現場及び／又は工場の出荷時・成形後において、この雪止めを構成することで、要望と、この要望の変更に簡易に対応すること、又は汎用製品として対応すること、また経済性を確保すること等を意図する。
【課題を解決するための手段】
【０００６】
請求項１の発明は、前述の「１」〜「４」の意図を達成する。
【０００７】
請求項１は、仕上り品の平板瓦の表面側、又は頭側に設けられる仕上り品の雪止めを取付ける平板瓦の構造であって、
この平板瓦の所定箇所の位置に、前記雪止めをセットし、この雪止めの表面より、この平板瓦の裏面側に至る貫通穴を形成し、この貫通穴にネジ釘を挿入し、このネジ釘の貫通部のネジ部に、緊締具を設けることで、前記平板瓦と、雪止めを一体化する構造とした雪止めを取付ける平板瓦の構造である。
【０００８】
請求項２の発明は、前述の「１」〜「４」の意図を達成する。また請求項２の発明は、
「５」  平板瓦の機能と、これに付ける雪止めの機能とを確実に達成すること、またより汎用製品として対応を図ること、また経済性を確保すること等を意図する。
【０００９】
請求項２は、請求項１に記載の雪止めを取付ける平板瓦の構造において、
この平板瓦の所定箇所の位置に、緩衝、止水、ガタ防止を目的とする板状の副資材を設け、この副資材の上に、雪止めを嵌合する構造とした雪止めを取付ける平板瓦の構造である。
【００１０】
請求項３の発明は、前述の「１」〜「４」の意図を達成する。また請求項３の発明は、
「６」  平板瓦の機能と、これに付ける雪止めの機能とを確実に達成すること、またより汎用製品として対応を図ること、また経済性を確保すること等を意図する。
【００１１】
請求項３は、請求項１に記載の雪止めを取付ける平板瓦の構造において、
この平板瓦の所定箇所の位置は、傾斜凹部とし、この傾斜凹部の全体に、緩衝、止水、ガタ防止を目的とする板状の副資材を設け、この副資材の上に、雪止めを嵌合する構造とした雪止めを取付ける平板瓦の構造である。
【発明の効果】
【００１２】
請求項１の発明は、仕上り品の平板瓦の表面側、又は頭側に設けられる仕上り品の雪止めを取付ける平板瓦の構造であって、
平板瓦の所定箇所の位置に、雪止めをセットし、雪止めの表面より、平板瓦の裏面側に至る貫通穴を形成し、貫通穴にネジ釘を挿入し、ネジ釘の貫通部のネジ部に、緊締具を設けることで、平板瓦と、雪止めを一体化する構造とした雪止めを取付ける平板瓦の構造である。
【００１３】
従って、請求項１の発明は、下記の効果を有する。
「１」  平板瓦及び雪止め自体に、工具を介して、貫通穴を開設し、この貫通穴にネジ釘を挿入し、このネジ釘の貫通部のネジ部に、緊締具を設けることで、この平板瓦と、雪止めを一体化する構造とし、強度の向上と、この平板瓦及び／又は雪止めの機能を発揮できる。
「２」  雪止めを、平板瓦の表面側、又は垂れ部の表面側より、膨出形成する構造とし、この雪止めの特性と、機能とを、発揮し、また屋根の耐震耐風性の向上が図れること、さらに雪止めとしての本来の目的（本発明の主題）を達成できる。
「３」  また平板瓦及び／又は雪止めを、活用して現場において、雪止めを取付けることで、この雪止め平板瓦を、確実かつ容易に構成できる。
「４」  現場及び／又は工場の出荷時・成形後において、この雪止めを構成することで、要望と、この要望の変更に簡易に対応できること、又は汎用製品として対応できること、また経済性を確保できること等にある。
【００１４】
請求項２の発明は、請求項１に記載の雪止めを取付ける平板瓦の構造において、
平板瓦の所定箇所の位置に、緩衝、止水、ガタ防止を目的とする板状の副資材を設け、副資材の上に、雪止めを嵌合する構造とした雪止めを取付ける平板瓦の構造である。
【００１５】
従って、請求項２の発明は、下記の効果を有する。
「１」〜「４」の効果を達成できる。
「５」  平板瓦の機能と、これに付ける雪止めの機能とを確実に達成できること、またより汎用製品として対応ができること、また経済性を確保できること等にある。
【００１６】
請求項３の発明は、請求項１に記載の雪止めを取付ける平板瓦の構造において、
平板瓦の所定箇所の位置は、傾斜凹部とし、傾斜凹部の全体に、緩衝、止水、ガタ防止を目的とする板状の副資材を設け、副資材の上に、雪止めを嵌合する構造とした雪止めを取付ける平板瓦の構造である。
【００１７】
従って、請求項３の発明は、下記の効果を有する。
「１」〜「４」の効果を達成できる。
「６」  平板瓦の機能と、これに付ける雪止めの機能とを確実に達成できること、またより汎用製品として対応ができること、また経済性を確保できること等にある。
【発明を実施するための最良の形態】
【００１８】
以下、本発明の実施の態様（形態）を説明する。
【００１９】
図面の説明をすると、図１は平板瓦（瓦の一例である）に、瓦の部材の雪止めを取付けた構造の全体斜視図、図２は図１の平面図（表面図）、図３は図１の裏面図、図４は雪止めを取付けた構造の要部の全体斜視図、図５は図１を頭側より見た正面図、図６−１〜図６−２は図２のＸ−Ｘを断面とした側面図であり、図６−１は平板瓦に、緩衝、止水、接着等を、個別又は選択配合した副資材を介して雪止めを嵌合した側面図、図６−２は平板瓦に、雪止めを直接嵌合した側面図、図７−１〜図７−４は平板瓦と雪止めの他の関係を示した要部の断面図であり、図７−１は平板瓦に凹部を形成し、この凹部に副資材を介して雪止めを嵌合した断面図、図７−２は平板瓦に凹部を形成し、この凹部に雪止めを直接嵌合した断面図、図７−３は平板瓦に傾斜凹部を形成し、この傾斜凹部に副資材を介して雪止めを嵌合した断面図、図７−４は平板瓦に変形凹部（小孔付き凹部）を形成し、この変形凹部に副資材を介して雪止めを嵌合した断面図、図８は鬼瓦（瓦の一例である）に、瓦の部材の装飾材を取付けた構造の全体斜視図、図９−１〜図９−２は和形瓦（瓦の一例である）に、瓦の部材の家紋、装飾材を取付けた構造の全体斜視図であり、図９−１は和形瓦に、家紋、装飾材を取付けた構造の全体斜視図、図９−２は図９−１の分解斜視図である。
【００２０】
最初に成形された（仕上り品）平板瓦１と、成形された（仕上り品）雪止め２との関係を説明すると、この平板瓦１の表面側１−１の頭側１ａに、この頭側１ａの流れ方向（Ｙで示す）のやや中側（内側）で、かつ幅方向（Ｚで示す）の略中心で形成される所定箇所の位置３に、雪止め２を設ける構造であり、この平板瓦１の所定箇所の位置３に、雪止め２を設置し、この設置した状態で、雪止め２の表面より、平板瓦１の裏面側１−２に到る貫通穴４を形成する。この貫通穴４には、ネジ釘５を挿入し、裏面側１−２より突出したネジ部５ａにナット６（緊締具）を螺合（緊締）することで、この所定箇所の位置３に雪止め２が一体化される。このネジ釘５を貫通穴４に挿入することで、この貫通穴４内に陶器特有のバリがあっても、略鉛直方向に、ネジ釘５を挿入でき、雪止め２の設置（取付け）の安定性と、一体化及び／又は取付け強度の向上と、このネジ釘５の確実、かつ容易な挿入が図れる特徴がある。そして、この平板瓦１は、瓦の一例であり、またこの平板瓦１の表裏面側１−１、１−２の形態、またこの表裏面側１−１、１−２に設けたアンダーラップ１ｂ、オーバーラップ１ｃ、水返し１ｄ等の構造は一例である。
【００２１】
この一例では、図１〜図６−１においては、所定箇所の位置３に、雪止め２を設置するに際し、所定箇所の位置３に、緩衝、止水、接着等を目的とする板状の副資材８を介して、雪止め２を設置することが、工具使用時、又は葺設後の衝撃緩和と、止水性、取付け隙間を無くすこと、ガタ防止等に有効である。しかし、図６−２に示したように、この副資材８を使用せず、直接設置する構造も可能であり、簡略化、低コスト化等を意図する。この緩衝、止水、接着等を目的とする板状の副資材８は、この緩衝、止水、接着等の目的を、それぞれ個別にする構造と、この緩衝、止水、接着等の目的を、選択、かつ配合した（組み合わせた）構造として、これらに適する材料を選択する（後述する他の実施例に於いても、同様に考えられる）。
【００２２】
尚、この所定箇所の位置３に、雪止め２を設置する作業は、現場及び／又は工場の出荷時・成形後において、行えるものであり、重宝する。また利便性と、汎用性とが図れること、又は緊急時に有効に対応できること等の実用性を備えている（後述する他の実施例に於いても、同様に考えられる）。
【００２３】
また図７−１〜図７−４は、平板瓦１と雪止め２の他の関係を示した要部の断面図であり、この各例を概述するが、何れも、雪止め２の位置の特定等による利便性と、汎用性とが図れること、又は緊急時に有効に対応できること等の実用性を備えている（後述する他の実施例に於いても、同様に考えられる）。先ず、図７−１は平板瓦１の所定箇所の位置３等に凹部１００を形成し、この凹部１００に副資材８を介して、雪止め２を嵌合した断面図であり、その他は前述の例に準ずる。また図７−２は平板瓦１の所定箇所の位置３等に凹部１００を形成し、この凹部１００に雪止め２を直接嵌合した断面図であり、その他は前述の各例に準ずる。また図７−３は平板瓦１の所定箇所の位置３等に傾斜凹部１０１を形成し、この傾斜凹部１０１に副資材８を介して、雪止め２を嵌合した断面図であり、その他は前述の各例に準ずる。さらに、図７−４は平板瓦１の所定箇所の位置３等に変形凹部１０２（小孔付き凹部）を形成し、この変形凹部１０２に副資材８を介して、雪止め２を嵌合した断面図であり、その他は前述の各例に準ずる。
【００２４】
以上で構成した雪止め２付平板瓦１は、従来の雪止め瓦（図示せず）と同様に葺設される。尚、本発明では、雪止め２が破損等した場合は、現場、工場等で交換でき重宝する。
【００２５】
次に図８に示した一例は、軒先に設けられる成形された（仕上り品）鬼瓦１０と、成形された（仕上り品）装飾材１１との関係を説明すると、鬼瓦１０の凹部１０００（所定箇所の位置３）に装飾材１１を嵌合し、ネジ釘５を介して一体化する構造であり、その他の構造は、前述の例に準ずる。この例では、装飾材１１を、現場、工場等で、随意変更できるので有益であり、汎用性と、経済性とを備えた構造である。
【００２６】
また図９−１、図９−２に示した一例は、成形された（仕上り品）和形瓦２０と、成形された（仕上り品）家紋２１・装飾材２２との関係を説明すると、和形瓦２０の凹部２０００・２００１（所定箇所の位置３）に家紋２１・装飾材２２を嵌合し、ネジ釘５を介して一体化する構造であり、その他の構造は、前述の例に準ずる。この例では、家紋２１・装飾材２２を、現場等で、随意変更できるので有益であり、汎用性と、経済性とを備えた構造である。また図示しないが、この例では、雪止め２を設けることが可能であり、前述の雪止め２の構造に準ずる。
【図面の簡単な説明】
【００２７】
【図１】図１は平板瓦（瓦の一例である）に、瓦の部材の雪止めを取付けた構造の全体斜視図
【図２】図２は図１の平面図（表面図）
【図３】図３は図１の裏面図
【図４】図４は雪止めを取付けた構造の要部の全体斜視図
【図５】図５は図１を頭側より見た正面図
【図６−１】図６−１は平板瓦に、副資材を介して雪止めを嵌合した図２のＸ−Ｘを断面とした側面図
【図６−２】図６−２は平板瓦に、雪止めを直接嵌合した図２のＸ−Ｘを断面とした側面図
【図７−１】図７−１は平板瓦に凹部を形成し、この凹部に副資材を介して雪止めを嵌合した要部の断面図
【図７−２】図７−２は平板瓦に凹部を形成し、この凹部に雪止めを直接嵌合した要部の断面図
【図７−３】図７−３は平板瓦に傾斜凹部を形成し、この傾斜凹部に副資材を介して雪止めを嵌合した要部の断面図
【図７−４】図７−４は平板瓦に変形凹部（小孔付き凹部）を形成し、この変形凹部に副資材を介して雪止めを嵌合した要部の断面図
【図８】図８は鬼瓦（瓦の一例である）に、瓦の部材の装飾材を取付けた構造の全体斜視図
【図９−１】図９−１は和形瓦（瓦の一例である）に、瓦の部材の家紋、装飾材を取付けた構造の全体斜視図
【図９−２】図９−２は図９−１の分解斜視図
【符号の説明】
【００２８】
１              平板瓦
１−１          表面側
１−２          裏面側
１００          凹部
１０１          傾斜凹部
１０２          変形凹部
１ａ            頭側
１ｂ            アンダーラップ
１ｃ            オーバーラップ
１ｄ            水返し
２              雪止め
３              所定箇所の位置
４              貫通穴
５              ネジ釘
５ａ            ネジ部
６              ナット
８              副資材
１０            鬼瓦
１０００        凹部
１１            装飾材
２０            和形瓦
２０００        凹部
２００１        凹部
２１            家紋
２２            装飾材
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
工場の出荷時・成形後において、仕上り品の平板瓦の表面側、又は頭側に設けられる仕
上り品の雪止めを取付ける平板瓦の構造であって、
この平板瓦の幅方向（Ｚ）の略中心の位置に、前記雪止めをセットし、この雪止めの表
面より、この平板瓦の裏面側に至る貫通穴を形成し、このバリのある貫通穴に略鉛直方向にネジ釘を挿入し、このネジ釘の貫通部のネジ部に、緊締具を設けることで、前記平板瓦と、雪止めを一体化する構造とした雪止めを取付ける平板瓦の構造。
【手続補正２】
【補正対象書類名】明細書
【補正対象項目名】全文
【補正方法】変更
【補正の内容】
【発明の詳細な説明】
【技術分野】
【０００１】
本発明は、雪止めを取付ける平板瓦の構造に関する。
【背景技術】
【０００２】
従来、雪止めを取付ける瓦の構造としては、一体を基本構造とすることから、分離形の
構造は、少なかった。その中でも、特開昭５８−９２５１４号の「模様入り瓦の製造方法
」があり（文献（１）とする）、瓦の頭側の垂れ部に、嵌合座孔を凹設し、この嵌合座孔
に、パーツ部品の装飾部を、接着嵌合するか、又はテーパー嵌合する構造が開示されてい
る。また実開昭６１−１６８９９８号の「時計付装飾瓦」があり（文献（２）とする）、
瓦本体の一部に開けた時計取付孔に時計を着脱自在に設ける構造の装飾瓦であって、この
瓦本体に、時計を、固定板と円板とをビス止めを介して、必要により、簡易かつ確実に取
付け、取外しできる装飾瓦である。
【０００３】
この文献（１）と、文献（２）は、瓦の適所に、雪止めを取付けるには、有益である。
しかしながら、瓦及び雪止め自体に、工具を介して、貫通穴を開設し、この貫通穴にネジ
釘を挿入し、このネジ釘の貫通部のネジ部に、緊締具を設けることで、この瓦と、雪止め
を一体化する構造ではないので、強度的に劣ることと、耐震耐風等の災害時の手当てに改
良点が考えられる。またこの文献（１）と、文献（２）は、瓦の表面側、又は垂れ部の表
面側より、膨出形成する構造でないので、この雪止めの特性と、機能を発揮するには、問
題を残すこと、また雪止めとしては、有効でないこと等の改良点を抱えている。
【０００４】
【特許文献１】特開昭５８−９２５１４号
【特許文献２】実開昭６１−１６８９９８号
【発明の開示】
【発明が解決しようとする課題】
【０００５】
以上で説明した如く、前記文献（１）と、文献（２）には、解決すべき課題が考えられ
るので、本発明は、下記のことを目的とする。
「１」  平板瓦及び雪止め自体に、工具を介して、貫通穴を開設し、このバリのある貫通穴に略鉛直方向にネジ釘を挿入し、このネジ釘の貫通部のネジ部に、緊締具を設けることで、この平板瓦と、雪止めを一体化する構造とし、強度の向上と、この平板瓦及び／又は雪止めの機能を発揮すること等を意図する。
「２」  雪止めを、平板瓦の表面側、又は垂れ部の表面側より、膨出形成する構造とし、
この雪止めの特性と、機能とを、発揮し、また屋根の耐震耐風性の向上を図ること、さら
に雪止めとしての本来の目的（本発明の主題）を達成すること等を意図する。
「３」  工場の出荷時・成形後において、この雪止めを構成することで、要望と、この要
望の変更に簡易に対応すること、又は汎用製品として対応すること、また経済性を確保す
ること等を意図する。
「４」  ネジ釘を貫通穴に挿入することで、この貫通穴内に陶器特有のバリがあっても、略鉛直方向に、ネジ釘を挿入でき、雪止めの設置（取付け）の安定性と、一体化及び／又は取付け強度の向上と、このネジ釘の確実、かつ容易な挿入が図れる。
【課題を解決するための手段】
【０００６】
請求項１の発明は、前述の「１」〜「４」の意図を達成する。
【０００７】
請求項１は、工場の出荷時・成形後において、仕上り品の平板瓦の表面側、又は頭側に
設けられる仕上り品の雪止めを取付ける平板瓦の構造であって、
この平板瓦の幅方向（Ｚ）の略中心の位置に、前記雪止めをセットし、この雪止めの表
面より、この平板瓦の裏面側に至る貫通穴を形成し、このバリのある貫通穴に略鉛直方向にネジ釘を挿入し、このネジ釘の貫通部のネジ部に、緊締具を設けることで、前記平板瓦と、雪止めを一体化する構造とした雪止めを取付ける平板瓦の構造である。
【発明の効果】
【０００８】
請求項１の発明は、工場の出荷時・成形後において、仕上り品の平板瓦の表面側、又は
頭側に設けられる仕上り品の雪止めを取付ける平板瓦の構造であって、
平板瓦の幅方向（Ｚ）の略中心の位置に、雪止めをセットし、雪止めの表面より、平板
瓦の裏面側に至る貫通穴を形成し、バリのある貫通穴に略鉛直方向にネジ釘を挿入し、ネジ釘の貫通部のネジ部に、緊締具を設けることで、平板瓦と、雪止めを一体化する構造とした雪止めを取付ける平板瓦の構造である。
【０００９】
従って、請求項１の発明は、下記の効果を有する。
「１」  平板瓦及び雪止め自体に、工具を介して、貫通穴を開設し、このバリのある貫通穴に略鉛直方向にネジ釘を挿入し、このネジ釘の貫通部のネジ部に、緊締具を設けることで、この平板瓦と、雪止めを一体化する構造とし、強度の向上と、この平板瓦及び／又は雪止めの機能を発揮できる。
「２」  雪止めを、平板瓦の表面側、又は垂れ部の表面側より、膨出形成する構造とし、
この雪止めの特性と、機能とを、発揮し、また屋根の耐震耐風性の向上が図れること、さ
らに雪止めとしての本来の目的（本発明の主題）を達成できる。
「３」  工場の出荷時・成形後において、この雪止めを構成することで、要望と、この要
望の変更に簡易に対応できること、又は汎用製品として対応できること、また経済性を確
保できること等にある。
「４」  ネジ釘を貫通穴に挿入することで、この貫通穴内に陶器特有のバリがあっても、略鉛直方向に、ネジ釘を挿入でき、雪止めの設置（取付け）の安定性と、一体化及び／又は取付け強度の向上と、このネジ釘の確実、かつ容易な挿入が図れる。
【発明を実施するための最良の形態】
【００１０】
以下、本発明の実施の態様（形態）を説明する。
【００１１】
図面の説明をすると、図１は平板瓦（瓦の一例である）に、瓦の部材の雪止めを取付けた構造の全体斜視図、図２は図１の平面図（表面図）、図３は図１の裏面図、図４は雪止めを取付けた構造の要部の全体斜視図、図５は図１を頭側より見た正面図、図６−１〜図６−２は図２のＸ−Ｘを断面とした側面図であり、図６−１は平板瓦に、緩衝、止水、接着等を、個別又は選択配合した副資材を介して雪止めを嵌合した側面図、図６−２は平板瓦に、雪止めを直接嵌合した側面図、図７−１〜図７−４は平板瓦と雪止めの他の関係を示した要部の断面図であり、図７−１は平板瓦に凹部を形成し、この凹部に副資材を介し雪止めを嵌合した断面図、図７−２は平板瓦に凹部を形成し、この凹部に雪止めを直接嵌合した断面図、図７−３は平板瓦に傾斜凹部を形成し、この傾斜凹部に副資材を介して雪止めを嵌合した断面図、図７−４は平板瓦に変形凹部（小孔付き凹部）を形成し、この変形凹部に副資材を介して雪止めを嵌合した断面図、図８は鬼瓦（瓦の一例である）に、瓦の部材の装飾材を取付けた構造の全体斜視図、図９−１〜図９−２は和形瓦（瓦の一例である）に、瓦の部材の家紋、装飾材を取付けた構造の全体斜視図であり、図９−１は和形瓦に、家紋、装飾材を取付けた構造の全体斜視図、図９−２は図９−１の分解斜視図である。
【００１２】
最初に成形された（仕上り品）平板瓦１と、成形された（仕上り品）雪止め２との関係
を説明すると、この平板瓦１の表面側１−１の頭側１ａに、この頭側１ａの流れ方向（Ｙ
で示す）のやや中側（内側）で、かつ幅方向（Ｚで示す）の略中心で形成される所定箇所
の位置３に、雪止め２を設ける構造であり、この平板瓦１の所定箇所の位置３に、雪止め
２を設置し、この設置した状態で、雪止め２の表面より、平板瓦１の裏面側１−２に到る
貫通穴４を形成する。この貫通穴４には、ネジ釘５を挿入し、裏面側１−２より突出した
ネジ部５ａにナット６（緊締具）を螺合（緊締）することで、この所定箇所の位置３に雪
止め２が一体化される。このネジ釘５を貫通穴４に挿入することで、この貫通穴４内に陶
器特有のバリがあっても、略鉛直方向に、ネジ釘５を挿入でき、雪止め２の設置（取付け
）の安定性と、一体化及び／又は取付け強度の向上と、このネジ釘５の確実、かつ容易な
挿入が図れる特徴がある。そして、この平板瓦１は、瓦の一例であり、またこの平板瓦１
の表裏面側１−１、１−２の形態、またこの表裏面側１−１、１−２に設けたアンダーラ
ップ１ｂ、オーバーラップ１ｃ、水返し１ｄ等の構造は一例である。
【００１３】
この一例では、図１〜図６−１においては、所定箇所の位置３に、雪止め２を設置する
に際し、所定箇所の位置３に、緩衝、止水、接着等を目的とする板状の副資材８を介して
、雪止め２を設置することが、工具使用時、又は葺設後の衝撃緩和と、止水性、取付け隙
間を無くすこと、ガタ防止等に有効である。しかし、図６−２に示したように、この副資
材８を使用せず、直接設置する構造も可能であり、簡略化、低コスト化等を意図する。こ
の緩衝、止水、接着等を目的とする板状の副資材８は、この緩衝、止水、接着等の目的を
、それぞれ個別にする構造と、この緩衝、止水、接着等の目的を、選択、かつ配合した（
組み合わせた）構造として、これらに適する材料を選択する（後述する他の実施例におい
ても、同様に考えられる）。
【００１４】
尚、この所定箇所の位置３に、雪止め２を設置する作業は、工場の出荷時・成形後にお
いて、行えるものであり、重宝する。また利便性と、汎用性とが図れること、又は緊急時
に有効に対応できること等の実用性を備えている（後述する他の実施例においても、同様
に考えられる）。
【００１５】
また図７−１〜図７−４は、平板瓦１と雪止め２の他の関係を示した要部の断面図であ
り、この各例を概述するが、何れも、雪止め２の位置の特定等による利便性と、汎用性と
が図れること、又は緊急時に有効に対応できること等の実用性を備えている（後述する他
の実施例においても、同様に考えられる）。先ず、図７−１は平板瓦１の所定箇所の位置
３等に凹部１００を形成し、この凹部１００に副資材８を介して、雪止め２を嵌合した断
面図であり、その他は前述の例に準ずる。また図７−２は平板瓦１の所定箇所の位置３等
に凹部１００を形成し、この凹部１００に雪止め２を直接嵌合した断面図であり、その他
は前述の各例に準ずる。また図７−３は平板瓦１の所定箇所の位置３等に傾斜凹部１０１
を形成し、この傾斜凹部１０１に副資材８を介して、雪止め２を嵌合した断面図であり、
その他は前述の各例に準ずる。さらに、図７−４は平板瓦１の所定箇所の位置３等に変形
凹部１０２（小孔付き凹部）を形成し、この変形凹部１０２に副資材８を介して、雪止め
２を嵌合した断面図であり、その他は前述の各例に準ずる。
【００１６】
以上で構成した雪止め２付平板瓦１は、従来の雪止め瓦（図示せず）と同様に葺設され
る。尚、本発明では、雪止め２が破損等した場合は、工場等で交換でき重宝する。
【００１７】
次に図８に示した一例は、軒先に設けられる成形された（仕上り品）鬼瓦１０と、成形
された（仕上り品）装飾材１１との関係を説明すると、鬼瓦１０の凹部１０００（所定箇
所の位置３）に装飾材１１を嵌合し、ネジ釘５を介して一体化する構造であり、その他の
構造は、前述の例に準ずる。この例では、装飾材１１を、工場等で、随意変更できるので
有益であり、汎用性と、経済性とを備えた構造である。
【００１８】
また図９−１、図９−２に示した一例は、成形された（仕上り品）和形瓦２０と、成形
された（仕上り品）家紋２１・装飾材２２との関係を説明すると、和形瓦２０の凹部２０
００・２００１（所定箇所の位置３）に家紋２１・装飾材２２を嵌合し、ネジ釘５を介し
て一体化する構造であり、その他の構造は、前述の例に準ずる。この例では、家紋２１・
装飾材２２を、現場等で、随意変更できるので有益であり、汎用性と、経済性とを備えた
構造である。また図示しないが、この例では、雪止め２を設けることが可能であり、前述
の雪止め２の構造に準ずる。
【図面の簡単な説明】
【００１９】
【図１】図１は平板瓦（瓦の一例である）に、瓦の部材の雪止めを取付けた構造の全    体斜視図
【図２】図２は図１の平面図（表面図）
【図３】図３は図１の裏面図
【図４】図４は雪止めを取付けた構造の要部の全体斜視図
【図５】図５は図１を頭側より見た正面図
【図６−１】図６−１は平板瓦に、副資材を介して雪止めを嵌合した図２のＸ−Ｘを    断面とした側面図
【図６−２】図６−２は平板瓦に、雪止めを直接嵌合した図２のＸ−Ｘを断面とした    側面図
【図７−１】図７−１は平板瓦に凹部を形成し、この凹部に副資材を介して雪止めを    嵌合した要部の断面図
【図７−２】図７−２は平板瓦に凹部を形成し、この凹部に雪止めを直接嵌合した要    部の断面図
【図７−３】図７−３は平板瓦に傾斜凹部を形成し、この傾斜凹部に副資材を介して    雪止めを嵌合した要部の断面図
【図７−４】図７−４は平板瓦に変形凹部（小孔付き凹部）を形成し、この変形凹部    に副資材を介して雪止めを嵌合した要部の断面図
【図８】図８は鬼瓦（瓦の一例である）に、瓦の部材の装飾材を取付けた構造の全体    斜視図
【図９−１】図９−１は和形瓦（瓦の一例である）に、瓦の部材の家紋、装飾材を取    付けた構造の全体斜視図
【図９−２】図９−２は図９−１の分解斜視図
【符号の説明】
【００２０】
１              平板瓦
１−１          表面側
１−２          裏面側
１００          凹部
１０１          傾斜凹部
１０２          変形凹部
１ａ            頭側
１ｂ            アンダーラップ
１ｃ            オーバーラップ
１ｄ            水返し
２              雪止め
３              所定箇所の位置
４              貫通穴
５              ネジ釘
５ａ            ネジ部
６              ナット
８              副資材
１０            鬼瓦
１０００        凹部
１１            装飾材
２０            和形瓦
２０００        凹部
２００１        凹部
２１            家紋
２２            装飾材